(57)【要約】      （修正有）【課題】羽根部を固定式として構成を単純化しながらも、季節に応じた日射の遮蔽や取り込みを実現することができるルーバー装置を提供する。【解決手段】ルーバー装置は、各羽根部４の取付角度αを、冬日として設定した期間内の最高の南中高度よりも大きくなる状態に設定することで、日中の太陽高度が低い冬日であっても太陽光を室内に取り入れることを可能にする。また、羽根部１０，１１の間隔を、羽根部１０の下面１０ｂの上端部Ｇ１と羽根部１１の上面１１ａの下端部Ｄ２とを結ぶ直線Ｂと水平面Ｃとのなす角度βが夏日として設定した期間内の最低の南中高度よりも小さくなる状態に設定することで、夏日の日中の太陽光を長時間にわたって羽根部４により遮り、太陽光の室内への入射を抑制する。【選択図】図３
2013213394.tif 000002
【特許請求の範囲】
【請求項１】
建物の南面に形成された開口部の外側に設けられて当該開口部を覆うルーバー装置であって、
横方向に延在する長尺平板状の複数の羽根部を上下に並べて形成され、
各羽根部は、
互いに平行な上面および下面を有すると共に、
室外側から室内側に向けて下方に傾斜した状態で設置されて、前記下面と水平面とのなす角度である取付角度が、冬日として設定された期間内の最高の南中高度よりも大きくなる状態に設定されており、
上方の羽根部と当該上方の羽根部に隣り合う下方の羽根部との間隔は、
前記上方の羽根部の下面下端部が、前記下方の羽根部の上面上端部よりも少なくとも上方に設けられ、且つ、
前記上方の羽根部の下面上端部と前記下方の羽根部の上面下端部とを結ぶ直線と水平面とのなす角度が、夏日として設定された期間内の最低の南中高度よりも小さくなる状態に設定されている
ことを特徴とするルーバー装置。
【請求項２】
前記羽根部は、
前記上面を有すると共に、前記上面に平行な下面を有する上羽根部材と、
前記下面を有すると共に、前記下面に平行な上面を有する下羽根部材とを備え、
これら上下の羽根部材は互いに平行な状態で設置されると共に、これら上下の羽根部材の間には所定間隔の空隙が設けられている
ことを特徴とする請求項１に記載のルーバー装置。
【請求項３】
各羽根部材は、上面の下端部と下面の下端部とを連結する下連結面を備えると共に、上面の上端部と下面の上端部とを連結する上連結面を備え、
前記上連結面は、前記上連結面と水平面とのなす角度を前記取付角度よりも大きい状態として、当該上面の上端部から当該下面の上端部に向けて下方に傾斜して形成されている
ことを特徴とする請求項２に記載のルーバー装置。
【請求項４】
前記複数の羽根部は一対の縦枠体の間に配置されており、
当該縦枠体は、少なくとも前記羽根部の幅と同じ前後幅を有すると共に、
これら一対の縦枠体の間隔は、前記夏日として設定された期間のうち、西日照射時間として設定された時間における最高の高度にある太陽の直射光を東側の縦枠体の西側後端部に入射させたときに、当該直射光と西側の縦枠体の東側前端部とが交差した状態に設定されている
ことを特徴とする請求項１〜３のいずれか一項に記載のルーバー装置。
【請求項５】
前記羽根部の上面には、太陽の直射光を室外側に反射させる室外反射部が形成されている
ことを特徴とする請求項１〜４のいずれか一項に記載のルーバー装置。
【請求項６】
前記室外反射部は、前記羽根部の長手方向に延在する凸状部を前記羽根部の短手方向に複数条設けて形成されている
ことを特徴とする請求項５に記載のルーバー装置。
【請求項７】
前記凸状部は、水平面を基準にして室内側から室外側に向けて下り勾配となる第１の傾斜面部を有する
ことを特徴とする請求項６に記載のルーバー装置。
【請求項８】
前記凸状部は、前記第１の傾斜面部と前記第１の傾斜面部よりも室内側に形成された第２の傾斜面部とを有し、
前記第２の傾斜面部は、前記第１の傾斜面部の上端部と、隣接する他の前記凸状部の前記第１の傾斜面部の下端部とを連結する
ことを特徴とする請求項７に記載のルーバー装置。
【請求項９】
前記室外反射部は、前記羽根部の短手方向に交互に繰り返される凸状の湾曲部と凹状の湾曲部とを前記羽根部の長手方向に延在させて形成されている
ことを特徴とする請求項５に記載のルーバー装置。
【発明の詳細な説明】
【技術分野】
【０００１】
本発明は、ルーバー装置に関し、特に、横方向に延在する複数の羽根部を上下に並べて形成されたルーバー装置に関する。
【背景技術】
【０００２】
一般的に、ルーバー装置は、通風性を保ちつつ日射の遮断もしくは採光の調整あるいは目隠しを行うために、建物の開口部や窓に設定される。ルーバー装置が有する複数の羽根部としては、帯板もしくは平板状の部材が使用されることが多い。
【０００３】
たとえば、下記特許文献１には、ベランダの先端に設けられる手すり用パネルとして固定式の羽根部を用いたルーバー構造が開示されている。また、下記特許文献２には、長尺な羽根部の両端部を枢支し、可動機構を介して羽根部を所望の角度に揺動可能とした構成が開示されている。
【先行技術文献】
【特許文献】
【０００４】
【特許文献１】特開２００１−５９２６４号公報
【特許文献２】特開２０１０−１６８８５４号公報
【発明の概要】
【発明が解決しようとする課題】
【０００５】
しかしながら、特許文献１に記載の固定式ルーバー装置では、日射の遮蔽もしくは目隠し等に効果が限定されてしまい、たとえば日射を適宜取り込むことはできない。一方、特許文献２に記載の可動式ルーバー装置では、特許文献１に記載の固定式ルーバー装置の問題を解決し得るものの、可動機構が複雑であることによりコストが高くなり、その上、故障等によりメンテナンス性が悪化してしまう。また、可動機構等の補助的な設備も大掛かりになり、この種の設備が、本来羽根部が上下に並ぶことで美感を演出しているルーバー装置の意匠性を損なうおそれもある。
【０００６】
この点、特許文献１に記載の固定式ルーバー装置では、構成を単純化していることで上記した特許文献２の問題を解決し得るものの、上方の羽根部の下端部と下方の羽根部の上端部とが同じ高さ位置に設けられているため、年間を通じて日射を遮蔽してしまう。そのため、実質的に建物の南側に形成される開口部であって、季節によっては日射を取り込ませたい窓等の開口部に設けるには適さない。このように、従来のルーバー装置では、構成を単純化しつつ、季節に応じた日射の遮蔽や取り込みを実現することは困難であった。
【０００７】
そこで、本発明は、羽根部を固定式として構成を単純化しながらも、季節に応じた日射の遮蔽や取り込みを実現することができるルーバー装置を提供することを目的とする。
【課題を解決するための手段】
【０００８】
上記課題を解決したルーバー装置は、建物の南面に形成された開口部の外側に設けられて当該開口部を覆うルーバー装置であって、横方向に延在する長尺平板状の複数の羽根部を上下に並べて形成され、各羽根部は、互いに平行な上面および下面を有すると共に、室外側から室内側に向けて下方に傾斜した状態で設置されて、下面と水平面とのなす角度である取付角度が、冬日として設定された期間内の最高の南中高度よりも大きくなる状態に設定されており、上方の羽根部と当該上方の羽根部に隣り合う下方の羽根部との間隔は、上方の羽根部の下面下端部が、下方の羽根部の上面上端部よりも少なくとも上方に設けられ、且つ、上方の羽根部の下面上端部と下方の羽根部の上面下端部とを結ぶ直線と水平面とのなす角度が、夏日として設定された期間内の最低の南中高度よりも小さくなる状態に設定されていることを特徴とする。
【０００９】
このルーバー装置によれば、各羽根部の取付角度が、冬日として設定された期間内の最高の南中高度よりも大きくなる状態に設定されているため、日中の太陽高度が低い冬日であっても、当該日中の太陽光の角度が羽根部の上面および下面の角度に近似し、これによって太陽光を室内に取り入れることができる。また、上下に並べられた羽根部の間隔は、上方の羽根部の下面上端部と下方の羽根部の上面下端部とを結ぶ直線と水平面とのなす角度が夏日として設定された期間内の最低の南中高度よりも小さくなる状態に設定されているため、夏日の日中の太陽光は長時間にわたって羽根部により遮られ、太陽光の室内への入射を著しく抑制できる。このように、羽根部を固定式として構成を単純化しながらも、夏季の日射を遮蔽すると共に冬季の日射を取得することで、季節に応じた日射の遮蔽や取り込みを実現することができる。また、各羽根部の取付角度を上記のように設定することにより、各羽根部の下面にて光が乱反射等することとなり、これによって室外側から室内への視認性を低下させることができ、目隠し効果が得られる。さらに、上方の羽根部の下面下端部は、それに隣り合う下方の羽根部の上面上端部よりも少なくとも上方に設けられているため、太陽光を遮蔽しつつ、外部の明るさや室内側から室外への視認性を確保することができる。
【００１０】
なお、冬日とは、一年のうちで太陽の南中高度が低い１ヶ月〜２ヶ月程度の期間のことである。冬日は、単に当該南中高度に基づいて設定することも可能であるし、当該南中高度に地域の温度特性等を加味して規定することも可能である。また、夏日とは、一年のうちで太陽の南中高度が高い１ヶ月〜２ヶ月程度の期間のことである。夏日は、単に当該南中高度に基づいて設定することも可能であるし、当該南中高度に地域の温度特性等を加味して規定することも可能である。
【００１１】
また、上記ルーバー装置において、羽根部は、上記の上面を有すると共に、上記の上面に平行な下面を有する上羽根部材と、上記の下面を有すると共に、上記の下面に平行な上面を有する下羽根部材とを備え、これら上下の羽根部材は互いに平行な状態で設置されると共に、これら上下の羽根部材の間には所定間隔の空隙が設けられている。この場合、上羽根部材と下羽根部材との上下２枚の羽根部材で羽根部を形成し、これらの間に空隙を設けることで、その空隙からも通風を得ることができる。また、かかる空隙により、室内側から室外への視線透過率を高めることができ、さらには、拡散光の侵入を許容して室内の明るさを向上させることができる。また、上下２段構成の羽根部材とすることにより、光が反射する面積が倍増することとなり、光の乱反射等による室外側から室内への視認性をより一層低下させることができる。
【００１２】
また、上記ルーバー装置において、各羽根部材は、上面の下端部と下面の下端部とを連結する下連結面を備えると共に、上面の上端部と下面の上端部とを連結する上連結面を備え、上連結面は、上連結面と水平面とのなす角度を取付角度よりも大きい状態として、当該上面の上端部から当該下面の上端部に向けて下方に傾斜して形成されている。この場合、各羽根部材に上連結面が形成されることにより、各羽根部材の上端部側は先細り形状となり、太陽から見た場合の羽根部材の見かけ上の面積をできるだけ小さくできる。これによって、特に冬日の太陽光の侵入性（透過性）を高めることができる。
【００１３】
また、上記ルーバー装置において、複数の羽根部は一対の縦枠体の間に配置されており、当該縦枠体は、少なくとも羽根部の幅と同じ前後幅を有すると共に、これら一対の縦枠体の間隔は、夏日として設定された期間のうち、西日照射時間として設定された時間における最高の高度にある太陽の直射光を東側の縦枠体の西側後端部に入射させたときに、当該直射光と西側の縦枠体の東側前端部とが交差した状態に設定されている。西日等の太陽高度が低い時間帯では、太陽光の入射角度が小さいため、上述した間隔をもって各羽板部を設置しているにも関わらず、夏日においては太陽光が羽板部間を透過してしまうことが考えられる。かかる太陽光に対応すべく、上記した間隔で縦枠体を設け、当該縦枠体間に羽板部を配置することで、太陽高度が低い場合には、光の入射を妨げる遮蔽物として、羽板部ではなく縦枠体を機能させることができる。ここで、西日照射時間とは、午後の室内へ日差しが強い一定時間を言い、例えば夏日の１６時以降から日没までの時間を設定することができる。
【００１４】
また、上記ルーバー装置において、羽根部の上面には、太陽の直射光を室外側に反射させる室外反射部が形成されている。この場合、羽根部の上面において室外反射部が設けられた箇所に入射した太陽光を当該室外反射部によって室外側に反射させることができる。これによって、羽根部の上面で反射した太陽光（反射光）が室内に入射することを抑制できる。また、反射光が当該羽根部の上方の羽根部の下面に照射する量を軽減することも期待でき、当該上方の羽根部が反射光により温められて輻射体（熱源）となってしまうことを抑制できる。また、室外側への反射光により室外側から室内への視認性をより一層低下させることができる。
【００１５】
また、上記ルーバー装置において、室外反射部は、羽根部の長手方向に延在する凸状部を羽根部の短手方向に複数条設けて形成されている。この場合、複数条設けられた凸状部によって羽根部の上面の表面積が増大しているため、太陽光により羽根部上面に蓄積される熱を速やかに放出しやすくなっている。これによって、羽根部が輻射体となってしまうことをより効果的に抑制できる。
【００１６】
また、上記ルーバー装置において、凸状部は、水平面を基準にして室内側から室外側に向けて下り勾配となる第１の傾斜面部を有する。この場合、第１の傾斜面部は、室外側に対向するように傾斜して設けられる。これによって、第１の傾斜面部において、入射した太陽光を室外側に反射させる可能性を高めることができる。
【００１７】
また、上記ルーバー装置において、凸状部は、第１の傾斜面部と第１の傾斜面部よりも室内側に形成された第２の傾斜面部とを有し、第２の傾斜面部は、第１の傾斜面部の上端部と、隣接する他の凸状部の第１の傾斜面部の下端部とを連結する。このように凸状部に第２の傾斜面部を設けることにより、第１の傾斜面部に入射して当該第１の傾斜面部で反射された太陽光（反射光）を、第２の傾斜面部においてさらに反射させて室外側に逃す可能性を高めることができる。また、第２の傾斜面部に入射して当該第２の傾斜面部で反射された太陽光（反射光）を、第１の傾斜面部においてさらに反射させて室外側に逃す可能性を高めることもできる。したがって、羽根部の上面で反射した太陽光が室内に入射することをより効果的に抑制できる。
【００１８】
また、上記ルーバー装置において、室外反射部は、羽根部の短手方向に交互に繰り返される凸状の湾曲部と凹状の湾曲部とを羽根部の長手方向に延在させて形成されている。この場合、羽根部の上面に入射した太陽光は凸状又は凹状の湾曲面によって乱反射することとなる。このように乱反射した光の一部は室外側に反射されるため、羽根部の上面で反射した太陽光が室内に入射することを抑制できる。また、この種の羽根部を押し出し成型等により製造する場合、その金型は、このように湾曲部を交互に繰り返し設けた形状、すなわち屈曲部分（尖った部分）を有さない連続的な曲面形状が好ましく、これによって低コストな押し出し成型によって羽根部を製造することができる。
【発明の効果】
【００１９】
本発明によれば、羽根部を固定式として構成を単純化しながらも、季節に応じた日射の遮蔽や取り込みを実現することができる。
【図面の簡単な説明】
【００２０】
【図１】第１実施形態に係るルーバー装置を示す斜視図である。
【図２】図１のルーバー装置の側断面図である。
【図３】（ａ）は羽根部の角度および間隔を示す側面図、（ｂ）はルーバー装置の平面図である。
【図４】（ａ）は夏日として設定された期間における日射の遮蔽状態を示す側断面図、（ｂ）は冬日として設定された期間における日射の取り込み状態を示す側断面図、（ｃ）は夏日として設定された期間における西日の遮蔽状態を示す平断面図である。
【図５】図１のルーバー装置を用いた場合の夏至および冬至における日射透過率の時間変化を示すグラフである。
【図６】第２実施形態に係るルーバー装置の側面図である。
【図７】図６のルーバー装置の羽根部の角度および間隔を示す側面図である。
【図８】第３実施形態に係るルーバー装置の羽根部の側面図である。
【図９】図８のルーバー装置の室外反射部の拡大側面図である。
【図１０】図８のルーバー装置の室外反射部が太陽光を反射する例を示す図である。
【図１１】第４実施形態に係るルーバー装置の室外反射部の拡大側面図である。
【発明を実施するための形態】
【００２１】
以下、本発明の実施形態について、図面を参照しながら説明する。なお、図面の説明において同一要素には同一符号を付し、重複する説明は省略する。
【００２２】
図１および図２に示されるように、ルーバー装置１は、建物の壁面２に形成された窓部（開口部）３の室外Ａ１側に設けられて窓部３を覆い、窓部３および室内Ａ２に対する日射透過率を季節に応じて好適に保つための装置である。本実施形態のルーバー装置１は、南に面した壁面２の窓部３に設置されている。なお、壁面２は、真南に面している場合に限られず、真南から東側または西側に１０°程度ずれていてもよい。
【００２３】
ルーバー装置１は、横方向に延在する複数の羽根部４と、これらの複数の羽根部４が固定された複数の縦枠体６とを備えている。各羽根部４は、横方向に長尺な平板状をなしており、複数の羽根部４が上下および左右に並べて配置されている。羽根部４は、熱容量の小さい材料により形成されることが好ましく、たとえばアルミ製や木製とすることができる。さらに、上下方向において等間隔に並設された複数の羽根部４が、一対の縦枠体６，６の間に配置されると共に、縦枠体６，６によって挟持固定されている。各縦枠体６は、横方向（壁面２に沿う水平方向）において等間隔に配置されている。
【００２４】
建物の軸組（図示せず）には支持部材７が固定されており、この支持部材７が、壁面２から室外Ａ１側に向けて垂直に延びている（図２参照）。各縦枠体６は、これらの支持部材７に固定されることにより、壁面２から所定距離離間した状態で支持されている。このように、ルーバー装置１は、複数の縦枠体６および複数の羽根部４が固定された固定式のルーバー装置である。したがって、このルーバー装置１は、羽根部４の可動機構を有していない。
【００２５】
図３（ａ）は、羽根部４の角度および間隔を示す側面図である。以下の説明では、互いに隣り合う任意の一対の羽根部４，４のうち、上方の羽根部４を羽根部１０、下方の羽根部４を羽根部１１として説明する。
【００２６】
図３（ａ）に示されるように、羽根部１０および羽根部１１は、互いに平行をなしており、室外Ａ１側から室内Ａ２側に向けて下方に傾斜した状態で設置されている。羽根部１０および羽根部１１の間には、所定の間隔が設けられている。
【００２７】
羽根部１０は、互いに平行な上面１０ａおよび下面１０ｂを有している。上面１０ａの下端部Ｄ１と下面１０ｂの下端部Ｅ１とは、下端部Ｄ１から後方かつ下方に延びる連結面１０ｃと、下端部Ｅ１から後方かつ略水平に延びる連結面１０ｄとによって連結されている。連結面１０ｃと連結面１０ｄとは直線状の後端部Ｈ１において連結している。上面１０ａの上端部Ｆ１および下面１０ｂの上端部Ｇ１は、上端部Ｆ１から前方かつ略水平に延びる連結面１０ｅと、上端部Ｇ１から前方かつ上方に延びる連結面１０ｆとによって連結されている。連結面１０ｅと連結面１０ｆとは直線状の前端部Ｊ１において連結している。
【００２８】
羽根部１１は、羽根部１０と同じ構成を有している。すなわち、羽根部１１は、互いに平行な上面１１ａおよび下面１１ｂを有し、さらに、上面１１ａの下端部Ｄ２と下面１１ｂの下端部Ｅ２とを連結する連結面１１ｃ，１１ｄ、上面１１ａの上端部Ｆ２と下面１１ｂの上端部Ｇ１とを連結する連結面１１ｅ，１１ｆ、および直線状の後端部Ｈ２、前端部Ｊ２を有している。
【００２９】
ここで、本実施形態のルーバー装置１にあっては、羽根部１０および羽根部１１の取付角度αは、冬日として設定された期間内の最高の南中高度よりも大きくなる状態に設定されている。言い換えれば、羽根部１０の上下面１０ａ，１０ｂおよび羽根部１１の上下面１１ａ，１１ｂのそれぞれと、水平面Ｃとのなす角度αは、冬日として設定された期間内の最高の南中高度よりも大きくなる状態に設定されている。
【００３０】
なお、冬日とは、一年のうちで太陽の南中高度が低い１ヶ月〜２ヶ月程度の期間のことであって、単に当該南中高度に基づいて設定することも可能であるし、当該南中高度に地域の温度特性等を加味して規定することも可能である。例えば、１年で最も太陽の南中高度が低いのは冬至の日であるが、当該冬至を中心として前後１ヶ月を冬日として設定することも可能であるし、当該冬至の日以降に真冬日が多い（一日の平均気温が低い）東京等の地域では冬至の日以後の３ヶ月程度を冬日として設定することも可能である。また、真冬日が特に長期に亘り連続する北海道等の地域では、冬至の前後２ヶ月を冬日として設定することも可能である。
【００３１】
さらに、羽根部１０と羽根部１１との間隔は、以下の条件を満たしている。すなわち、羽根部１０の下面１０ｂの下端部Ｅ１が、羽根部１１の上面１１ａの上端部Ｆ２よりも少なくとも上方に設けられている。そして、羽根部１０の下面１０ｂの上端部Ｇ１と羽根部１１の上面１１ａの下端部Ｄ２とを結ぶ仮想直線Ｂと水平面Ｃとのなす角度βが、夏日として設定された期間内の最低の南中高度よりも小さくなる状態に設定されている。
【００３２】
なお、夏日とは、一年のうちで太陽の南中高度が高い１ヶ月〜２ヶ月程度の期間のことであって、単に当該南中高度に基づいて設定することも可能であるし、当該南中高度に地域の温度特性等を加味して規定することも可能である。例えば、１年で最も太陽の南中高度が高いのは夏至の日であるが、当該夏至を中心として前後１ヶ月を夏日として設定することも可能であるし、当該夏至の日以降に真夏日が多い東京等の地域では夏至の日以後の３ヶ月程度を夏日として設定することも可能である。また、真夏日が比較的短い北海道等の地域では、真夏日が集中する８月のみを夏日として設定することも可能である。
【００３３】
冬日として設定された期間内の最高の南中高度および夏日として設定された期間内の最低の南中高度の一例を表１に示す。なお、表１中の角度αおよび角度βの単位は「°（度）」である。表１に示されるように、建物が建てられる各々の地域（たとえば各地域の緯度）に応じて、角度α，βに対応する冬の南中高度および夏の南中高度を適宜設定することができる。なお、これらの値は、たとえば各地の気象データに基づいて設定することができる。
【００３４】
【表１】
2013213394.tif 000003
【００３５】
羽根部１０，１１の構成についてより具体的に説明すると、羽根部１０における上面１０ａの下端部Ｄ１、下面１０ｂの下端部Ｅ１、羽根部１１における上面１１ａの下端部Ｄ２、および下面１１ｂの下端部Ｅ２は、側面視において上下方向に一直線上に並んでいる。また、羽根部１０における上面１０ａの上端部Ｆ１、下面１０ｂの上端部Ｇ１、羽根部１１における上面１１ａの上端部Ｆ２、および下面１１ｂの上端部Ｇ２は、側面視において上下方向に一直線上に並んでいる。下方側の連結面１０ｃ，１０ｄ，１１ｃ，１１ｄの前後方向の幅ｘ２は、上方側の連結面１０ｅ，１０ｆ，１１ｅ，１１ｆの前後方向の幅ｘ２と等しくなっている。
【００３６】
さらに、羽根部１０の連結面１０ｆおよび羽根部１１の連結面１１ｃの傾きは、羽根部１０の下面１０ｂの上端部Ｇ１と羽根部１１の上面１１ａの下端部Ｄ２とを結んだ上述の直線Ｂの傾きと等しくなっている。言い換えれば、羽根部１０の前端部Ｊ１、下面１０ｂの上端部Ｇ１、羽根部１１の上面１１ａの下端部Ｄ２、および後端部Ｈ２は、一直線上（直線Ｂ上）に並んでいる。なお、連結面の傾きは適宜変更することができる。羽根部１０の前端部Ｊ１および羽根部１１の後端部Ｈ２は、直線Ｂ上に並んでいなくてもよい。たとえば、羽根部１０の前端部Ｊ１が直線Ｂよりも後ろ側（室内Ａ２側）に位置してもよく、羽根部１１の後端部Ｈ２が直線Ｂよりも前側（室外Ａ１側）に位置してもよい。
【００３７】
上記の構成を有する羽根部１０，１１では、羽根部１０，１１のそれぞれにおける前後方向の出寸法ｘと、羽根部１０の上端部（前端部Ｊ１もしくは上端部Ｆ１）から羽根部１１の下端部（後端部Ｈ２もしくは下端部Ｅ２）までの高さ寸法ｙとの間で、
ｙ＝ｘ・ｔａｎβ
の関係が成り立っている。
【００３８】
また、羽根部１０の上面１０ａ、下面１０ｂ、羽根部１１の上面１１ａ、および下面１１ｂのそれぞれにおける前後方向の幅ｘ１と、これらの高さ寸法ｙ１との間で、
ｙ１＝ｘ１・ｔａｎα
の関係が成り立っている。
【００３９】
さらに、羽根部１０の連結面１０ｃ，１０ｄ，１０ｅ，１０ｆおよび羽根部１１の連結面１１ｃ，１１ｄ，１１ｅ，１１ｆのそれぞれにおける前後方向の幅ｘ２と、これらの高さ寸法ｙ２との間で、
ｙ２＝ｘ２・ｔａｎβ
の関係が成り立っている。
【００４０】
図３（ｂ）は、ルーバー装置１の平面図である。図３（ｂ）に示されるように、各縦枠体６は、少なくとも羽根部４の幅と同じ前後幅ｗ２を有している。さらに、一対の縦枠体６，６の間隔ｗ１は、夏日として設定された期間のうち、西日照射時間として設定された時間における最高の高度にある太陽の直射光Ｌ１を東側の縦枠体６の西側後端部Ｍに入射させたときに、当該直射光Ｌ１と西側の縦枠体６の東側前端部Ｎとが交差する状態に設定されている。ここで、西日照射時間とは、午後の室内へ日差しが強い一定時間を言い、例えば夏日の１６時以降から日没までの時間を設定することができる。
【００４１】
以上の構成を有するルーバー装置１によれば、各羽根部４の取付角度βが、冬日として設定された期間内の最高の南中高度よりも大きくなる状態に設定されているため、日中の太陽高度が低い冬日であっても、当該日中の太陽光の角度が羽根部１０，１１の上面１０ａ，１１ａおよび下面１０ｂ，１１ｂの角度に近似し、これによって太陽光を室内に取り入れることができる（図４（ｂ）参照）。また、上下に並べられた羽根部１０，１１の間隔は、羽根部１０の下面１０ｂの上端部Ｇ１と羽根部１１の上面１１ａの下端部Ｄ２とを結ぶ直線Ｂと水平面Ｃとのなす角度βが夏日として設定された期間内の最低の南中高度よりも小さくなる状態に設定されているため、夏日の日中の太陽光は長時間にわたって羽根部４により遮られ、太陽光の室内への入射を著しく抑制できる（図４（ａ）参照）。このように、羽根部４を固定式として構成を単純化しながらも、夏季の日射を遮蔽すると共に冬季の日射を取得することで、季節に応じた日射の遮蔽や取り込みが実現されている。また、各羽根部４の取付角度βをこのように設定することにより、各羽根部４の下面１０ｂ，１１ｂにて光が乱反射等することとなり、これによって室外Ａ１側から室内Ａ２への視認性を低下させることができ、目隠し効果が得られる。さらに、羽根部１０の下面１０ｂの下端部Ｅ１が、羽根部１１の上面１１ａの上端部Ｆ２よりも少なくとも上方に設けられているため、太陽光を遮蔽しつつ、外部の明るさや室内側から室外への視認性が確保される。さらには、室内外における通風性も確保される。
【００４２】
ここで、上述した間隔をもって各羽板部４を設置した場合でも、西日等の太陽高度が低い時間帯では、太陽光の入射角度が小さいため、夏日においては太陽光が羽板部４間を透過してしまうことも考えられる。しかしながら、上述したように一対の縦枠体６，７の間隔ｗ１は、夏日として設定された期間のうち、西日照射時間として設定された時間における最高の高度にある太陽の直射光Ｌ１を東側の縦枠体６の西側後端部Ｍに入射させたときに、当該直射光Ｌ１と西側の縦枠体６の東側前端部Ｎとが交差する状態に設定されているため、太陽高度が低い場合には、光の入射を妨げる遮蔽物として、羽板部４ではなく縦枠体６を機能させることができる。
【００４３】
図５は、ルーバー装置１を用いた場合の夏至および冬至における日射透過率の時間変化を示すグラフである。図５では、壁面２が真南に面している場合を「方位０」とし、壁面２が真南から東側または西側に１０°程度ずれている場合をそれぞれ「方位＋１０」および「方位−１０」としている。図５に示されるように、夏至においては、日中の時間を通じて日射透過率が０％であり、夏の日射を確実に遮蔽できることがわかる。すなわち、図５では、白抜きの丸、三角、および四角のすべてのプロットが０％の位置で重なっている。また、冬至においては、日中の時間を通じて日射透過率が４０％〜８０％であり、冬の日射を良好に取り込めることがわかる。「方位０」の場合における各時間の日射透過率を表２に示す。
【００４４】
【表２】
2013213394.tif 000004
【００４５】
図６は、第２実施形態に係るルーバー装置１Ａの側面図、図７は、ルーバー装置１Ａの羽根部４Ａの角度および間隔を示す側面図である。図６に示す本実施形態のルーバー装置１Ａが図２に示したルーバー装置１と違う点は、羽根部４に代えて、それぞれが２枚の羽根部材２０，２１からなる羽根部４Ａを備えた点である。
【００４６】
羽根部４Ａに関してより具体的に説明すると、各羽根部４Ａは、上面２０ａを有すると共に、上面２０ａに平行な下面２０ｂを有する上羽根部材２０と、下面２１ｂを有すると共に、下面２１ｂに平行な上面２１ａを有する下羽根部材２１とを備えている。これらの上羽根部材２０と下羽根部材２１とは、同一の外形を有している。
【００４７】
羽根部材２０は、上面２０ａの下端部Ｐ１と下面２０ｂの下端部Ｑ１とを連結する下連結面２０ｃを備えると共に、上面２０ａの上端部Ｒ１と下面２０ｂの上端部Ｓ１とを連結する上連結面２０ｄを備えている。上連結面２０ｄは、上連結面２０ｄと水平面Ｃとのなす角度γが取付角度βよりも大きい状態で、上面２０ａの上端部Ｒ１から下面２０ｂの上端部Ｓ１に向けて下方に傾斜して形成されている。下連結面２０ｃは、上連結面２０ｄと平行をなしている。このようにして、羽根部材２０の上端部Ｒ１側は先細り形状をなしている。上端部Ｒ１は、側面視において鋭角に尖った形状をなしている。
【００４８】
上羽根部材２０と同様にして、羽根部材２１は、上面２１ａの下端部Ｐ２と下面２１ｂの下端部Ｑ２とを連結する下連結面２１ｃを備えると共に、上面２１ａの上端部Ｒ２と下面２１ｂの上端部Ｓ２とを連結する上連結面２１ｄを備えている。上連結面２１ｄは、上連結面２１ｄと水平面Ｃとのなす角度γを取付角度βよりも大きい状態として、上面２１ａの上端部Ｒ２から下面２１ｂの上端部Ｓ２に向けて下方に傾斜して形成されている。下連結面２１ｃは、上連結面２１ｄと平行をなしている。このようにして、羽根部材２１の上端部Ｒ２側は先細り形状をなしている。上端部Ｒ２は、側面視において鋭角に尖った形状をなしている。
【００４９】
さらに、これら上下の羽根部材２０，２１は同一の高さ且つ互いに平行な状態で設置されており、これら上下の羽根部材２０，２１の間には所定間隔の空隙Ｔが設けられている。
【００５０】
これらの２枚の羽根部材２０，２１からなる羽根部４Ａは、第１実施形態のルーバー装置１における１枚の羽根部４に相当している。すなわち、上羽根部材２０の上面２０ａは、ルーバー装置１における羽根部４の上面１０ａ，１１ａに相当し、下羽根部材２１の下面２１ｂは、ルーバー装置１における羽根部４の下面１０ｂ，１１ｂに相当する。言い換えれば、羽根部材２０，２１の間の空隙Ｔを塞ぐと、この羽根部４Ａは、ルーバー装置１の羽根部４と同じ形状になる。すなわち、羽根部材２０，２１からなる羽根部４Ａの輪郭は、第１実施形態の羽根部４の輪郭と実質的に同一である。よって、この羽根部４Ａと第１実施形態の羽根部４とは、夏場の日射の遮蔽および冬場の日射の取り込みに関して同じ機能を有する。
【００５１】
上記構成を有する羽根部４Ａにおいても、上羽根部材２０および下羽根部材２１の取付角度αは、冬日として設定された期間内の最高の南中高度よりも大きくなる状態に設定されている。また、下羽根部材２１の下面２１ｂの下端部Ｑ２が、その下方に位置する上羽根部材２０の上面２０ａの上端部Ｒ１よりも少なくとも上方に設けられている。そして、下羽根部材２１の下面２１ｂの上端部Ｓ２とその下方に位置する上羽根部材２０の上面２０ａの下端部Ｐ１とを結ぶ直線Ｂと水平面Ｃとのなす角度βは、夏日として設定された期間内の最低の南中高度よりも小さくなる状態に設定されている。
【００５２】
このルーバー装置１Ａによれば、第１実施形態のルーバー装置１と同様の作用・効果を得ることができると共に、上羽根部材２０と下羽根部材２１との上下２枚の羽根部材で羽根部４Ａを形成し、これらの間に空隙Ｔを設けることで、その空隙Ｔからも通風を得ることができる。また、かかる空隙Ｔにより、室内Ａ２側から室外Ａ１への視線透過率を高めることができ、さらには、拡散光の侵入を許容して室内の明るさを向上させることができる。また、上下２段構成の羽根部材２０，２１とすることにより、光が反射する面積が倍増することとなり、光の乱反射等による室外側から室内への視認性をより一層低下させることができる。
【００５３】
また、各羽根部材２０，２１に上連結面２０ｄ，２１ｄが形成されることにより、各羽根部材２０，２１の上端部Ｒ１，Ｒ２側は先細り形状となり、太陽から見た場合の羽根部材２０，２１の見かけ上の面積をできるだけ小さくできる。これによって、特に冬日の太陽光の侵入性（透過性）を高めることができる。
【００５４】
図８は、第３実施形態に係るルーバー装置１Ｂの羽根部４Ｂの側面図、図９は、ルーバー装置１Ｂの室外反射部８の拡大側面図である。本実施形態のルーバー装置１Ｂが図１に示したルーバー装置１と違う点は、ルーバー装置１における羽根部４に代えて、上面に太陽の直射光を室外Ａ１側に反射させる室外反射部８を形成した羽根部４Ｂを備えた点である。それ以外の羽根部４Ｂの角度および間隔等の構成は、ルーバー装置１と同一である。室外反射部８は、羽根部４Ｂの本体部分と一体形成されてもよいし、本体部分とは別の部材がルーバー装置１における羽根部４の上面１０ａ，１０ｂに表面加工されて形成されたものであってもよい。
【００５５】
図８および図９に示すように、室外反射部８は、羽根部４Ｂの長手方向（横方向）に延在する凸状部８Ａを羽根部４Ｂの短手方向（室外Ａ１側と室内Ａ２側とが対向する方向）に複数条設けて形成されている。本実施形態においては、羽根部４Ｂの上面に設けられた凸状部８Ａは、全て同一形状とされている。ここで各凸状部８Ａのうち、一の凸状部８Ａに着目して説明すると、凸状部８Ａは、室外Ａ１側に設けられた傾斜面部（第１の傾斜面部）８Ｂと室内Ａ２側に設けられた傾斜面部（第２の傾斜面部）８Ｃとを有している。傾斜面部８Ｂは、水平面Ｃを基準にして室内Ａ２側から室外Ａ１側に向けて下り勾配となるように、水平面Ｃに対して角度φで傾斜している。凸状部８Ａの傾斜面部８Ｂと傾斜面部８Ｃとは、共通の上端部Ｊにおいて連結されている。また、傾斜面部８Ｂの下端は、室外Ａ１側に隣接する他の凸状部８Ａの傾斜面部８Ｃとの間で共通の下端部Ｋにおいて連結されている。これと同様に、傾斜面部８Ｃの下端は、室内Ａ２側に隣接する他の凸状部８Ａの傾斜面部８Ｂとの間で共通の下端部Ｋにおいて連結されている。すなわち、室外反射部８は、複数の凸状部８Ａが羽根部４Ｂの短手方向に連なるように形成されている。
【００５６】
凸状部８Ａの大きさは特に限定されないが、あまり大きくすると、冬日の日射を室内Ａ２に取り込む効果を妨げてしまうおそれがある。したがって、夏日の日射の反射光の室内Ａ２への入射を抑制しつつ冬日の日射を効果的に取り込むためには、凸状部８Ａの高さ、すなわち凸状部８Ａの室外Ａ１側の下端（傾斜面部８Ｂの下端部Ｋ）及び室内Ａ２側の下端（傾斜面部８Ｃの下端部Ｋ）の両方に沿った平面Ｉと凸状部８Ａの上端部Ｊとの距離ｄは、例えば２ｍｍ程度とすることが好ましい。
【００５７】
続いて、上述のように構成される室外反射部８が羽根部４Ｂの上面に入射した太陽光を室外Ａ１側に反射させる仕組みについて図１０を用いて説明する。図１０は、ルーバー装置１Ｂの室外反射部８が太陽光を反射する例を示す図である。図１０（ａ）は、室外反射部８が太陽光Ｌ２を直接室外Ａ１側に反射させる例を示す図であり、図１０（ｂ）は、室外反射部８が太陽光Ｌ３を二段階の反射によって室外Ａ１側に反射させる例を示す図である。
【００５８】
まず、図１０（ａ）について説明する。この例において、太陽光Ｌ２の水平面Ｃを基準とした入射角度θ１と傾斜面部８Ｂの傾斜角度φとの間で、
θ１＋φ＞９０°  …（１）
の関係が成り立っている。このような条件が成り立つ場合には、太陽光Ｌ２の傾斜面部８Ｂに対する室内Ａ２側の入射角度θ２について「θ２（＝１８０°−θ１−φ）＜９０°」の関係が必ず成り立つため、図１０（ａ）に示すように、入射角度θ１で入射した太陽光Ｌ２は、傾斜面部８Ｂにおいて確実に室外Ａ１側に反射することとなる。すなわち、室外反射部８は、傾斜面部８Ｂの傾斜角度φとの関係において上記関係式（１）を満たす入射角度θ１で入射した太陽光を、確実に室外Ａ１側に反射させる。
【００５９】
上記関係式（１）を用いることにより、特定の角度で入射する太陽光を確実に室外Ａ１側に反射させるように傾斜面部８Ｂを設けることができる。すなわち、例えば夏日における東京の南中高度に位置する太陽からの太陽光を確実に室外Ａ１側に反射させるように室外反射部８を設ける場合には、例えば夏至の日の南中時の太陽光の入射角度をθ１として上記関係式（１）を満たす傾斜角度φとなるように傾斜面部８Ｂを設ければ、夏至前後の夏日にて反射効果を良好に発揮するものとなる。
【００６０】
このように羽根部４Ｂの上面に設けられた室外反射部８が入射した太陽光を室外Ａ１側に反射させることにより、羽根部４Ｂの上面で反射した太陽光（反射光）が室内Ａ２に入射することを抑制できる。また、反射光が当該羽根部４Ｂの上方の羽根部４Ｂの下面に照射する量を軽減することも期待でき、当該上方の羽根部４Ｂが反射光により温められて輻射体（熱源）となってしまうことを抑制できる。また、室外Ａ１側への反射光の眩しさにより室外Ａ１側から室内Ａ２への視認性をより一層低下させることができる。
【００６１】
また、凸状部８Ａが羽根部４Ｂの短手方向に複数条設けられていることにより羽根部４Ｂの上面の表面積が増大しているため、太陽光により羽根部４Ｂの上面に蓄積される熱を速やかに放出しやすくなっている。これによって、羽根部４Ｂが輻射体となってしまうことがより効果的に抑制されている。
【００６２】
また、傾斜面部８Ｂは、室外Ａ１側に対向するように傾斜角度φをもって傾斜して設けられている。これによって、傾斜面部８Ｂにおいて、入射した太陽光を室外Ａ１側に反射させる可能性を高めることができる。
【００６３】
次に、図１０（ｂ）について説明する。室外反射部８は、上述のとおり、複数の凸状部８Ａが羽根部４Ｂの短手方向に連なるように形成されている。これによって、図１０（ｂ）に示すように、凸状部８Ａの傾斜面部８Ｂに対して入射して反射された太陽光Ｌ３（反射光）がいったん室外Ａ１側に隣接する他の凸状部８Ａの傾斜面部８Ｃに当たる場合であっても、当該反射光が当該傾斜面部８Ｃに対して浅い角度で当たる場合には、当該傾斜面部８Ｃで反射する太陽光Ｌ３を室内Ａ２側でなく室外Ａ１側に向けて逃し易くなる。同様に、図１０（ｂ）における太陽光Ｌ３の進行方向を逆にした場合、すなわち、最初に凸状部８Ａの傾斜面部８Ｃに入射した太陽光が室内Ａ２側に隣接する他の凸状部８Ａの傾斜面部８Ｂに当たる場合であっても、当該傾斜面部８Ｂにおいて太陽光をさらに反射させて室外Ａ１側に逃す可能性が高められている。
【００６４】
以上、第３実施形態に係るルーバー装置１Ｂについて説明したが、本実施形態の室外反射部８のように凸状部を羽根部の短手方向に複数連なるように設けない場合であっても、少なくとも凸状部の室外Ａ１側の面に対して所定の角度で入射する太陽光を室外Ａ１側に反射させることができるため、羽根部の上面で反射した太陽光の室内Ａ２への入射を抑制できる。
【００６５】
図１１は、第４実施形態に係るルーバー装置１Ｃの室外反射部９の拡大側面図である。本実施形態に係るルーバー装置１Ｃが図８および図９に示したルーバー装置１Ｂと違う点は、ルーバー装置１Ｂにおける室外反射部８に代えて、羽根部４Ｃの短手方向に交互に繰り返される凸状の湾曲部９Ａと凹状の湾曲部９Ｂとを羽根部４Ｃの長手方向に延在させて形成された室外反射部９を備えた点である。それ以外の羽根部４Ｃの角度および間隔等の構成は、ルーバー装置１および１Ｂと同一である。
【００６６】
図１１に示すように、室外反射部９は、凸状の湾曲部９Ａと凹状の湾曲部９Ｂとが周期的に連続する例えばサインカーブ等の形状に設けられている。凸状の湾曲部９Ａと凹状の湾曲部９Ｂとは、変曲点Ｖにおいて連結している。ここで、これらの湾曲部９Ａ，９Ｂによって形成される湾曲面の変曲点Ｖにおける接平面Ｕと水平面Ｃとがなす角度をψとする。
【００６７】
羽根部４Ｃの上面に入射した太陽光は、これらの湾曲部９Ａ，９Ｂによって連続的に形成される湾曲面によって乱反射することとなるが、そのうちの光の一部は室外Ａ１側に反射されるため、上述のルーバー装置１Ｂと同様に、羽根部４Ｃの上面で反射した太陽光が室内Ａ２に入射することを抑制できる。また、この種の羽根部を押し出し成型等により製造する場合、その金型は、このように湾曲部９Ａ，９Ｂを交互に繰り返し設けた形状、すなわち屈曲部分（尖った部分）を有さない連続的な曲面形状が好ましく、これによって低コストな押し出し成型によって羽根部を製造することができるというメリットを有する。
【００６８】
なお、室外反射部９において、より効果的に太陽光の室内Ａ２への入射を抑制するためには、湾曲部９Ａ，９Ｂが繰り返される周期をより短くし、湾曲形状の振幅をより大きくすること等が有効である。このようにすることで、湾曲部９Ａ，９Ｂによって形成される湾曲面のうち室外Ａ１側に向く面を、室外Ａ１側により対向するように傾斜させることができる。すなわち、角度ψを大きくすることができる。これにより、変曲点Ｖ付近に入射した太陽光を室外Ａ１側に反射させる可能性を高めることができる。
【符号の説明】
【００６９】
１，１Ａ，１Ｂ，１Ｃ…ルーバー装置、２…壁面（南面）、３…窓部（開口部）、４，４Ａ，４Ｂ，４Ｃ…羽根部、６…縦枠体、８，９…室外反射部、８Ａ…凸状部、８Ｂ…傾斜面部（第１の傾斜面部）、８Ｃ…傾斜面部（第２の傾斜面部）、９Ａ…凸状の湾曲部、９Ｂ…凹状の湾曲部、１０…上方の羽根部、１１…下方の羽根部、１０ａ，１１ａ…上面、１０ｂ，１１ｂ…下面、２０…上羽根部材、２１…下羽根部材、Ａ１…室外、Ａ２…室内、Ｂ…直線、Ｃ…水平面、Ｊ…上端部、Ｋ…下端部、Ｔ…空隙、α…取付角度、β…直線と水平面とのなす角度。
【図１】
2013213394.tif 000005
【図２】
2013213394.tif 000006
【図３】
2013213394.tif 000007
【図４】
2013213394.tif 000008
【図５】
2013213394.tif 000009
【図６】
2013213394.tif 000010
【図７】
2013213394.tif 000011
【図８】
2013213394.tif 000012
【図９】
2013213394.tif 000013
【図１０】
2013213394.tif 000014
【図１１】
2013213394.tif 000015